(57)【特許請求の範囲】
【請求項１】
ユーザ機器（ＵＥ）におけるワイヤレス通信の方法であって、
共有チャネルを介して、他の装置から、複数の無線アクセス技術（ＲＡＴ）波形を備える畳み込み信号を受信することと、
前記畳み込み信号に関連付けられた干渉レベルがしきい値を満たしていることを決定することと、
前記しきい値が満たされているという前記決定に基づいて、第１のＲＡＴ波形の第１の信号を再構築するようにインジケーションを送ることと、ここにおいて、前記インジケーションは、前記ＵＥの第１の無線機に前記ＵＥの第２の無線機から送られる、
前記インジケーションに応答して、前記第１の無線機で前記複数のＲＡＴ波形から前記第１のＲＡＴ波形の前記第１の信号を再構築することと、
前記再構築された第１の信号に基づいて、前記第２の無線機で前記複数のＲＡＴ波形から第２のＲＡＴ波形の第２の信号を識別することと
を備える、
方法。
【請求項２】
前記畳み込み信号に関連付けられた前記干渉レベルが前記しきい値を満たしていることを決定することは、前記畳み込み信号に関連付けられた前記干渉レベルが前記しきい値以上であることを決定することを備える、請求項１に記載の方法。
【請求項３】
前記畳み込み信号に関連付けられた前記干渉レベルを決定することは、前記畳み込み信号の信号対干渉・雑音比（ＳＩＮＲ）を識別することを備える、請求項２に記載の方法。
【請求項４】
前記畳み込み信号に関連付けられた前記干渉レベルが前記しきい値よりも少ないことを決定することと、
前記第２の無線機から前記第１の無線機に、信号の再構築を中止するようにインジケーションを送ることと
をさらに備える、請求項１に記載の方法。
【請求項５】
前記第１の無線機で前記畳み込み信号を復号することと、
前記第１の信号を生成するために前記畳み込み信号の一部分を前記第１の無線機で再構築することと
をさらに備える、請求項１に記載の方法。
【請求項６】
前記第１の無線機で前記畳み込み信号を復号することは、
前記畳み込み信号のための変調またはコーディング方式を識別することと、
前記変調またはコーディング方式に基づいて前記畳み込み信号の一部分を復調することと
を備える、請求項５に記載の方法。
【請求項７】
前記第２の信号を識別することは、
前記畳み込み信号から前記第１のＲＡＴ波形の前記再構築された第１の信号を除去すること
を備える、請求項１に記載の方法。
【請求項８】
前記第１の無線機は、受信機とパケット・リコンストラクタとを備える、請求項１に記載の方法。
【請求項９】
前記第１の無線機は、ワイヤレスローカルエリアネットワーク（ＷＬＡＮ）モデムを備える、請求項１に記載の方法。
【請求項１０】
前記第２の無線機は、ロングタームエボリューション（ＬＴＥ）受信機を備える、請求項１に記載の方法。
【請求項１１】
前記第１の信号は、ワイヤレスローカルエリアネットワーク（ＷＬＡＮ）信号を備え、前記第２の信号は、ロングタームエボリューション（ＬＴＥ）信号を備える、請求項１に記載の方法。
【請求項１２】
ユーザ機器（ＵＥ）におけるワイヤレス通信のための装置であって、
共有チャネルを介して他の装置から、複数の無線アクセス技術（ＲＡＴ）波形を備える畳み込み信号を受信するように構成された第１の無線機の受信機と、
前記畳み込み信号に関連付けられた干渉レベルがしきい値を満たしていることを決定するように構成された干渉検出器と、
前記しきい値が満たされているという前記決定に基づいて、第１のＲＡＴ波形の第１の信号を再構築するようにインジケーションを送るように構成されたＲＡＴ間干渉イネーブラと、ここにおいて、前記インジケーションは、前記第１の無線機に第２の無線機から送られる、
前記インジケーションに応答して、前記第１の無線機で前記複数のＲＡＴ波形から前記第１のＲＡＴ波形の前記第１の信号を再構築するように構成された前記第１の無線機のパケット・リコンストラクタと、
前記再構築された第１の信号に基づいて、前記複数のＲＡＴ波形から第２のＲＡＴ波形の第２の信号を識別するように構成された前記第２の無線機の信号識別器と
を備える、
装置。
【請求項１３】
前記干渉検出器は、前記畳み込み信号に関連付けられた前記干渉レベルが前記しきい値以上であることを決定するように構成される、請求項１２に記載の装置。
【請求項１４】
前記干渉検出器は、前記畳み込み信号のＳＩＮＲを識別することを備える、前記畳み込み信号に関連付けられた前記干渉レベルを決定することを行うように構成される、請求項１３に記載の装置。
【請求項１５】
前記干渉検出器は、前記畳み込み信号に関連付けられた前記干渉レベルがしきい値よりも少ないことを決定するように構成され、前記装置は、
前記第２の無線機から前記第１の無線機に、信号の再構築を中止するようにインジケーションを送るように構成されたＲＡＴ間干渉ディセーブラをさらに備える、
請求項１２に記載の装置。
【請求項１６】
前記畳み込み信号を復号するように構成された前記第１の無線機の復号器と、
前記第１の信号を生成するために前記畳み込み信号の一部分を再構築するように構成された前記第１の無線機の信号生成器と
をさらに備える、請求項１２に記載の装置。
【請求項１７】
前記畳み込み信号のための変調またはコーディング方式を識別するように構成された変調識別器と、
前記変調またはコーディング方式に基づいて前記畳み込み信号の一部分を復調するように構成された復調器と
をさらに備える、請求項１６に記載の装置。
【請求項１８】
前記畳み込み信号から前記第１のＲＡＴ波形の前記再構築された第１の信号を除去するように構成された干渉リムーバをさらに備える、
請求項１２に記載の装置。
【請求項１９】
前記第１の無線機はモデムを備える、請求項１２に記載の装置。
【請求項２０】
前記第１の無線機は、ワイヤレスローカルエリアネットワーク（ＷＬＡＮ）モデムを備える、請求項１２に記載の装置。
【請求項２１】
前記第２の無線機は、ロングタームエボリューション（ＬＴＥ）受信機を備える、請求項１２に記載の装置。
【請求項２２】
前記第１の信号は、ＷＬＡＮ信号を備え、前記第２の信号は、ＬＴＥ信号を備える、請求項１２に記載の装置。
【請求項２３】
ユーザ機器（ＵＥ）におけるワイヤレス通信のための装置であって、
共有チャネルを介して他の装置から、複数の無線アクセス技術（ＲＡＴ）波形を備える畳み込み信号を受信するための手段と、
前記畳み込み信号に関連付けられた干渉レベルがしきい値を満たしていることを決定するための手段と、
前記しきい値が満たされているという前記決定に基づいて、第１のＲＡＴ波形の第１の信号を再構築するようにインジケーションを送るための手段と、ここにおいて、前記インジケーションを送るための前記手段は、前記ＵＥの第１の無線機に前記ＵＥの第２の無線機から前記インジケーションを送るように動作可能である、
前記インジケーションに応答して、前記第１の無線機で前記複数のＲＡＴ波形から前記第１のＲＡＴ波形の前記第１の信号を再構築するための手段と、
前記再構築された第１の信号に基づいて、前記第２の無線機で前記複数のＲＡＴ波形から第２のＲＡＴ波形の第２の信号を識別するための手段と
を備える、
装置。
【請求項２４】
前記畳み込み信号に関連付けられた前記干渉レベルが前記しきい値以上であることを決定するための手段をさらに備える、
請求項２３に記載の装置。
【請求項２５】
前記畳み込み信号に関連付けられた前記干渉レベルを決定することは、前記畳み込み信号のＳＩＮＲを識別することを備える、請求項２４に記載の装置。
【請求項２６】
前記畳み込み信号に関連付けられた干渉レベルがしきい値よりも少ないことを決定するための手段と、
前記第２の無線機から前記第１の無線機に、信号の再構築を中止するようにインジケーションを送るための手段と
をさらに備える、請求項２３に記載の装置。
【請求項２７】
ユーザ機器（ＵＥ）におけるワイヤレス通信のためのコードを記憶する非一時的コンピュータ可読媒体であって、前記コードは、
共有チャネルを介して他の装置から、複数の無線アクセス技術（ＲＡＴ）波形を備える畳み込み信号を受信することと、
前記畳み込み信号に関連付けられた干渉レベルがしきい値を満たしていることを決定することと、
前記しきい値が満たされているという前記決定に基づいて、第１のＲＡＴ波形の第１の信号を再構築するようにインジケーションを、前記ＵＥの第１の無線機に前記ＵＥの第２の無線機から送ることと、
前記インジケーションに応答して、前記第１の無線機で前記複数のＲＡＴ波形から前記第１のＲＡＴ波形の前記第１の信号を再構築することと、
前記再構築された第１の信号に基づいて、前記第２の無線機で前記複数のＲＡＴ波形から第２のＲＡＴ波形の第２の信号を識別することと
を行うように実行可能な命令を備える、
非一時的コンピュータ可読媒体。
【発明の詳細な説明】
【相互参照】
【０００１】
[0001]  本特許出願は、２０１４年１０月２４日出願の「Inter-RAT Interference Cancellation」と題し、その譲受人に譲渡された、Ｗａｎｇによる米国特許出願第１４／５２３，７７２号の優先権を主張する。
【技術分野】
【０００２】
[0002]  下記は、概して、ワイヤレス通信に関し、より具体的には、無線アクセス技術（ＲＡＴ）間干渉除去（inter-radio access technology (RAT) interference cancellation）に関する。
【関連分野の説明】
【０００３】
[0003]  ワイヤレス通信システムは、音声、ビデオ、パケットデータ、メッセージング、ブロードキャスト、等のような、様々なタイプの通信コンテンツを提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ＬＴＥ（登録商標）システム）を含む。
【０００４】
[0004]  例として、ワイヤレス多元接続通信システムは、いくつかの基地局を含み得、各々が複数の通信デバイスのための通信を同時にサポートし、それらは、別名、ユーザ機器（ＵＥ）、モバイルデバイスまたは局（ＳＴＡ）として知られ得る。基地局は、（例えば、基地局からＵＥへの伝送の場合）ダウンリンクチャネル、および（例えば、ＵＥから基地局への伝送の場合）アップリンクチャネル上で通信デバイスと通信し得る。
【０００５】
[0005]  セルラネットワークがより混雑状態になっているので、オペレータは、容量を増加させる方法に注目し始めている。１つのアプローチは、セルラネットワークのシグナリングまたはトラフィックのいくらかをオフロード（offload）するために、ワイヤレスローカルエリアネットワーク（ＷＬＡＮ）を使用することを含み得る。加えて、オペレータは、従来ではＷＬＡＮのために使用されていた、無認可スペクトル（unlicensed spectrum）を、セルラ技術のために利用することを試み得る。しかし、この無認可スペクトルに対する増加する需要は、望ましくない干渉につながる場合もあり、これは、他よりも多く、ある特定の無線アクセス技術（ＲＡＴ）に影響を及ぼし得る。
【発明の概要】
【０００６】
[0006]  畳み込み信号（a convoluted signal）から干渉を排除するためのシステム、方法、および装置が説明される。本開示にしたがって、デュアル無線モバイルデバイス（a dual-radio mobile device）は、干渉除去のために複数の無線機を利用し得る。いくつかの例において、第１の無線機（例えば、ＷＬＡＮ無線機）は、第１の信号（例えば、ＷＬＡＮ信号）を再構築（reconstruct）するために、受信された畳み込み信号を処理し得る。再構築された第１の信号は、再構築された第１の信号を畳み込み信号から除去または取り除くことによって第２の信号（例えば、ＬＴＥ信号）を識別するために、第２の無線機（例えば、ＬＴＥ無線機）によって利用され得る。
【０００７】
[0007]  ＵＥにおけるワイヤレス通信の方法が説明される。本方法は、共有チャネルを介して複数のＲＡＴ波形を含む畳み込み信号を受信することと、第１の無線機で複数のＲＡＴ波形から第１のＲＡＴ波形の第１の信号を再構築することと、再構築された第１の信号に基づいて、第２の無線機で複数のＲＡＴ波形から第２のＲＡＴ波形の第２の信号を識別することと、を含み得る。
【０００８】
[0008]  ＵＥにおけるワイヤレス通信のための装置も説明される。本装置は、共有チャネルを介して複数のＲＡＴ波形を含む畳み込み信号を受信するための受信機と、第１の無線機で複数のＲＡＴ波形から第１のＲＡＴ波形の第１の信号を再構築するためのパケット・リコンストラクタ（a packet reconstructor）と、再構築された第１の信号に基づいて、第２の無線機で複数のＲＡＴ波形から第２のＲＡＴ波形の第２の信号を識別するための信号識別器（a signal identifier）と、を含み得る。
【０００９】
[0009]  ＵＥにおけるワイヤレス通信のためのさらなる装置も説明される。本装置は、共有チャネルを介して複数のＲＡＴ波形を含む畳み込み信号を受信するための手段と、第１の無線機で複数のＲＡＴ波形から第１のＲＡＴ波形の第１の信号を再構築するための手段と、再構築された第１の信号に基づいて、第２の無線機で複数のＲＡＴ波形から第２のＲＡＴ波形の第２の信号を識別するための手段と、を含み得る。
【００１０】
[0010]  ＵＥにおけるワイヤレス通信のためのコードを記憶する非一時的コンピュータ可読媒体もまた説明される。本コードは、共有チャネルを介して複数のＲＡＴ波形を含む畳み込み信号を受信することと、第１の無線機で複数のＲＡＴ波形から第１のＲＡＴ波形の第１の信号を再構築することと、再構築された第１の信号に基づいて、第２の無線機で複数のＲＡＴ波形から第２のＲＡＴ波形の第２の信号を識別することと、を行うように実行可能な命令を含み得る。
【００１１】
[0011]  上述された方法、装置、または非一時的コンピュータ可読媒体のいくつかの例は、さらに、畳み込み信号に関連付けられた干渉レベルがしきい値以上であることを決定することと、その決定することに基づいて第１のＲＡＴ波形の再構築された第１の信号を生成することと、を行うための特徴、手段、または命令を含み得る。追加的または代替的に、いくつかの例は、第２の無線機から第１の無線機に、再構築された第１の信号を生成するようにインジケーションを送るための特徴、手段、または命令を含み得る。
【００１２】
[0012]  上述された方法、装置、または非一時的コンピュータ可読媒体のいくつかの例は、畳み込み信号のＳＩＮＲを識別することを含んでいる、畳み込み信号に関連付けられた干渉レベルを決定するための特徴、手段、または命令をさらに含み得る。追加的または代替的に、いくつかの例は、畳み込み信号に関連付けられた干渉レベルがしきい値よりも少ないことを決定することと、第２の無線機から第１の無線機に、信号の再構築を中止するようにインジケーションを送ることと、を行うための特徴、手段、または命令を含み得る。
【００１３】
[0013]  上述された方法、装置、または非一時的コンピュータ可読媒体のいくつかの例は、第１の無線機で畳み込み信号を復号することと、第１の信号を生成するために畳み込み信号の一部分を第１の無線機で再構築することと、を行うための特徴、手段、または命令をさらに含み得る。追加的または代替的に、いくつかの例は、畳み込み信号のための変調またはコーディング方式を識別することと、変調または符号化方式に基づいて畳み込み信号の一部分を復調することと、を行うための特徴、手段、または命令を含み得る。
【００１４】
[0014]  上述された方法、装置、または非一時的コンピュータ可読媒体のいくつかの例は、畳み込み信号から第１のＲＡＴ波形の再構築された第１の信号を除去するための特徴、手段、または命令をさらに含み得る。追加的または代替的に、いくつかの例において、第１の無線機はモデムを含み、これは、受信機およびパケット・リコンストラクタを含み得る。
【００１５】
[0015]  上述された方法、装置、または非一時的コンピュータ可読媒体のいくつかの例において、第１の無線機はＷＬＡＮモデムを含む。追加的または代替的に、いくつかの例において、第２の無線機はＬＴＥ受信機を含む。
【００１６】
[0016]  上述された方法、装置、または非一時的コンピュータ可読媒体のいくつかの例において、第１の信号はＷＬＡＮ信号であり、第２の信号はＬＴＥ信号である。
【００１７】
[0017]  前述のことは、以下に続く詳細な説明がより良く理解されることができるように、本開示による例の特徴および技術的利点を、多少幅広く概説している。追加の特徴および利点が以下に説明されるであろう。開示される概念および具体的な例は、本開示の同じ目的を実行するために、他の構造を修正または設計するための基礎として容易に利用され得る。このような同等な構造は、添付の特許請求の範囲から逸脱しない。本明細書に開示される概念の特性は、関連する利点とともに、それらの動作の方法および構成の両方に関して、添付の図に関連して検討された場合、以下の説明からより良く理解されるであろう。これらの図の各々は、例示および説明の目的のためだけに提供され、特許請求の範囲の限定の定義として提供されるものではない。
【００１８】
[0018]  本開示の本質および利点のさらなる理解は、以下の図面を参照することによって実現され得る。添付の図面において、同様のコンポーネントまたは特徴は、同じ参照ラベルを有し得る。さらに、同じタイプの様々なコンポーネントは、参照ラベルに、ダッシュ記号と、同様のコンポーネントと区別する第２のラベルとを後続させることによって区別され得る。本明細書において第１の参照ラベルのみが使用されている場合、第２の参照ラベルに関係なく同じ第１の参照ラベルを有する同様のコンポーネントのいずれか１つに、本説明が適用可能である。
【図面の簡単な説明】
【００１９】
【図１】[0019]  本開示の様々な態様にしたがったＲＡＴ間干渉除去（inter-RAT interference cancellation）のためのワイヤレス通信システムの例を例示する図。
【図２】[0020]  本開示の様々な態様にしたがったＲＡＴ間干渉除去のためのワイヤレス通信システムの例を例示する図。
【図３】[0021]  本開示の様々な態様にしたがったＲＡＴ間干渉除去のためのデュアル無線モバイルデバイスの例を例示する図。
【図４】[0022]  本開示の様々な態様にしたがったＲＡＴ間干渉除去のためのメッセージフロー図の例を例示する図。
【図５】[0023]  本開示の様々な態様にしたがったＲＡＴ間干渉除去のためのメッセージフロー図の例を例示する図。
【図６】[0024]  本開示の様々な態様にしたがったＲＡＴ間干渉除去のために構成されたユーザ機器（ＵＥ）のブロック図を示す図。
【図７】[0025]  本開示の様々な態様にしたがったＲＡＴ間干渉除去のために構成されたＵＥのブロック図を示す図。
【図８】[0026]  本開示の様々な態様にしたがったＲＡＴ間干渉除去のために構成された干渉除去マネージャのブロック図を示す図。
【図９】[0027]  本開示の様々な態様にしたがったＲＡＴ間干渉除去のために構成されたＵＥを含むシステムのブロック図を例示する図。
【図１０】[0028]  本開示の様々な態様にしたがったＲＡＴ間干渉除去のための方法を例示するフローチャートを示す図。
【図１１】[0029]  本開示の様々な態様にしたがったＲＡＴ間干渉除去のための方法を例示するフローチャートを示す図。
【図１２】[0030]  本開示の様々な態様にしたがったＲＡＴ間干渉除去のための方法を例示するフローチャートを示す図。
【図１３】[0031]  本開示の様々な態様にしたがったＲＡＴ間干渉除去のための方法を例示するフローチャートを示す図。
【詳細な説明】
【００２０】
[0032]  セルラネットワーク（例えば、ＬＴＥネットワーク）の認可無線周波数スペクトル帯域から、無認可または共有（shared）の無線周波数スペクトル帯域（例えば、ＷＬＡＮネットワークによって使用される帯域）へトラフィックがオフロードされると、セルラ信号とＷＬＡＮ信号との間の干渉が発生し得る。すなわち、例えば、セルラ信号およびＷＬＡＮ信号の時間または周波数リソースにおける重複により、一方のネットワーク（例えば、ＷＬＡＮネットワーク）からの信号が、他方のネットワーク（例えば、セルラネットワーク）からの信号を受信するように構成された無線機に対する干渉として現れ得る。いくつかの例において、この干渉は、デバイスが共有または無認可スペクトル内の異なるＲＡＴの複数の受信機モジュールを動作させるという結果になり得る。よって、本開示は、１つのＲＡＴの干渉信号（例えば、ＷＬＡＮ信号）を、もう１つのＲＡＴの信号（例えば、セルラ信号）から取り除くための技法を提供する。
【００２１】
[0033]  例えば、モバイルデバイスは、異なるＲＡＴの複数の受信機（例えば、無線機）で構成され得、各受信機において、１つのＲＡＴの所望の信号と、もう１つのＲＡＴの雑音コンポーネントとを含む畳み込み信号を受信し得る。しかしながら、モバイルデバイスは、１つのＲＡＴの受信機を、もう１つのＲＡＴの受信機と同時に（in conjunction with）畳み込み信号を受信および処理するために利用し得る。例えば、畳み込み信号は、インターレースされたＬＴＥ信号およびＷＬＡＮ信号を含み得、デバイスはＬＴＥ無線機およびＷＬＡＮ無線機を含み得る。本開示にしたがって、モバイルデバイスは、ＬＴＥ信号とインターレースされたＷＬＡＮ信号を再構築することによって畳み込み信号のＷＬＡＮコンポーネントを復号するためにＷＬＡＮ無線機を利用し得る。ＷＬＡＮ無線機は、再構築されたＷＬＡＮ信号をＬＴＥ無線機に送り得る。ＬＴＥ無線機、これは、畳み込み信号を別個で受信していてもよいが、畳み込み信号からＷＬＡＮコンポーネントを除去するために、再構築されたＷＬＡＮ信号を利用し得、ＬＴＥ無線機が処理するためのクリーンなＬＴＥ信号を残す。
【００２２】
[0034]  追加的または代替的に、モバイルデバイスは、ＲＡＴ間干渉除去のための動作の複数のモードをサポートし得る。いくつかの例において、モバイルデバイスは、干渉信号の強度に基づいてＲＡＴ間干渉除去をイネーブルまたはディセーブルのいずれかにし得る。例えば、ＬＴＥ無線機が、チャネル上に顕著な干渉（例えば、ＬＴＥ無線機が処理することができるしきい値の干渉またはそれを上回る干渉）を識別した場合、モバイルデバイスは、ＷＬＡＮ無線機がＬＴＥ無線機の干渉除去を助けることを可能にし得る。反対に、ＬＴＥ無線機が瑣末な干渉（例えば、しきい値を下回る）を識別した場合、ＬＴＥ無線機は、ＲＡＴ間干渉除去技法を採用せずに干渉を緩和することを選び得る。モバイルデバイスは、よって、検出された干渉レベルに基づいて、第２の無線機が干渉除去技法を助けることをイネーブルまたはディセーブルにし得る。
【００２３】
[0035]  以下の説明は例を提供するものであり、特許請求の範囲で述べられる範囲、適用可能性、または例を限定するものではない。変更が、本開示の範囲から逸脱することなく説明される要素の機能および配列でなされ得る。様々な例は、様々なプロシージャまたはコンポーネントを、適宜、省略、置換、または追加し得る。例えば、説明される方法は、説明されるものとは異なる順序で行われることができ、様々なステップが追加、省略、または組み合わせされ得る。また、いくつかの例に関して説明される特徴は、他の例において組み合わされ得る。
【００２４】
[0036]  図１は、本開示の様々な態様にしたがって、ＲＡＴ間干渉除去のためのワイヤレス通信システム１００の例を例示する。システム１００は、基地局１０５、アクセスポイント（ＡＰ）１２０、モバイルデバイス１１５、およびコアネットワーク１３０を含む。コアネットワーク１３０は、ユーザ認証、アクセス承認、追跡、インターネットプロトコル（ＩＰ）接続、および他のアクセス、ルーティング、またはモビリティ機能を提供し得る。基地局１０５は、バックホールリンク１３２（例えば、Ｓ１、等）を通してコアネットワーク１３０とインターフェースをとる。基地局１０５およびＡＰ１２０は、モバイルデバイス１１５との通信のための無線構成およびスケジューリングを行い得るか、または基地局コントローラ（図示せず）の制御下で動作し得る。様々な例において、基地局１０５およびＡＰ１２０は、バックホールリンク１３４（例えば、Ｘ１、等）を介して互いに、直接的または（例えば、コアネットワーク１３０を通して）間接的にのいずれかで通信し得、バックホールリンク１３４は、有線またはワイヤレスの通信リンクであり得る。
【００２５】
[0037]  基地局１０５およびＡＰ１２０は、１つまたは複数のアンテナを介してモバイルデバイス１１５とワイヤレスに通信し得る。基地局１０５およびＡＰ１２０の各々は、それぞれの地理的なカバレッジエリア１１０に対して通信カバレッジを提供し得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または他の何らかの好適な用語で称され得る。基地局１０５およびＡＰ１２０のための地理的カバレッジエリア１１０は、カバレッジエリアの一部分のみを構成するセクタ（図示せず）に分割され得る。ワイヤレス通信システム１００は、異なるタイプの基地局１０５およびＡＰ１２０（例えば、マクロまたはスモールセル基地局）を含み得る。異なる技術のために重複している地理的カバレッジエリア１１０が存在し得る。
【００２６】
[0038]  モバイルデバイス１１５は、通信リンク１２５を使用して基地局１０５およびＡＰ１２０を通して互いに通信し得るが、一方で、各モバイルデバイス１１５は、また、ダイレクトワイヤレスリンク１３５を介して１つまたは複数の他のモバイルデバイス１１５と直接的に通信し得る。２つ以上のモバイルデバイス１１５は、両方のモバイルデバイス１１５が地理的カバレッジエリア１１０にあるときに、または１つのモバイルデバイス１１５がＡＰの地理的カバレッジエリア１１０内にある、あるいはいずれのモバイルデバイス１１５もＡＰの地理的カバレッジエリア１１０内にないときに、ダイレクトワイヤレスリンク１３５を介して通信し得る。ダイレクトワイヤレスリンク１３５の例は、Ｗｉ−Ｆｉダイレクト接続、Ｗｉ−Ｆｉトンネルダイレクトリンクセットアップ（ＴＤＬＳ：Tunneled Direct Link Setup）リンクを使用して確立される接続、および他のＰ２Ｐグループ接続を含み得る。他のインプリメンテーションにおいて、他のピアツーピア接続またはアドホックネットワークは、システム１００内でインプリメントされ得る。
【００２７】
[0039]  いくつかの例において、ワイヤレス通信システム１００は、ＬＴＥ／ＬＴＥ−アドバンスド（ＬＴＥ−Ａ）ネットワークである。ＬＴＥ／ＬＴＥ−Ａネットワークにおいて、発展型ノードＢ（ｅＮＢ）という用語は、概して、基地局１０５を説明するために使用され得、一方で、ユーザ機器（ＵＥ）という用語は、概して、モバイルデバイス１１５を説明するために使用され得る。ワイヤレス通信システム１００は、異なるタイプのｅＮＢが様々な地理的領域に対してカバレッジを提供する異機種ＬＴＥ／ＬＴＥ−Ａネットワークであり得る。システム１００は、いくつかの例において、ＷＬＡＮもサポートし得る。ＷＬＡＮは、電気電子技術者協会（ＩＥＥＥ）８０２．１１規格ファミリ（「Ｗｉ−Ｆｉ」）に基づく技法を採用するネットワークであり得る。例えば、各ｅＮＢまたは基地局１０５およびＡＰ１２０は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア（component carrier）、あるいはキャリアまたは基地局のカバレッジエリア（例えば、セクタ、等）を説明するために使用されることができる、３ＧＰＰ（登録商標）の用語である。
【００２８】
[0040]  マクロセルは、概して、比較的大きい地理的エリア（例えば、半径数キロメートル）をカバーし、ネットワークプロバイダにサービス加入しているモバイルデバイス１１５による無制限アクセスを可能にし得る。スモールセルは、マクロセルと比較して、より低い電力の基地局であり、これは、マクロセルと同じまたは異なる（例えば、認可、無認可、等の）周波数帯域において動作し得る。スモールセルは、様々な例によると、ピコセル、フェムトセル、およびマイクロセルを含み得る。例えば、ピコセルは、小さい地理的エリアをカバーし得、ネットワークプロバイダにサービス加入しているモバイルデバイス１１５による無制限アクセスを可能にし得る。フェムトセルもまた、小さい地理的エリア（例えば、家）をカバーし得、フェムトセルとの関連付けを有するモバイルデバイス１１５（例えば、限定加入者グループ（ＣＳＧ：a closed subscriber group）中のモバイルデバイス１１５、家の中にいるユーザのためのモバイルデバイス１１５、および同様のもの）による制限アクセスも提供し得る。マクロセルのためのｅＮＢは、マクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数（例えば、２つ、３つ、４つ、等）のセル（例えば、コンポーネントキャリア）をサポートし得る。
【００２９】
[0041]  ワイヤレス通信システム１００は、同期または非同期動作をサポートし得る。同期動作の場合、基地局１０５は、同様のフレームタイミングを有し得、異なる基地局１０５からの伝送が時間的にほぼ整列され得る。非同期動作の場合、基地局１０５は、異なるフレームタイミングを有し得、異なる基地局１０５からの伝送が時間的に整列されなくてもよい。本明細書に説明される技法は、同期または非同期動作のいずれかのために使用され得る。
【００３０】
[0042]  開示されている様々な例のいくつかに順応（accommodate）し得る通信ネットワークは、層状プロトコルスタック（a layered protocol stack）にしたがって動作するパケットベースのネットワークであり得る。ユーザプレーンにおいて、ベアラまたはパケット・データ・コンバージェンス・プロトコル（ＰＤＣＰ：packet data convergence protocol）レイヤでの通信は、ＩＰベースであり得る。無線リンク制御（ＲＬＣ）レイヤは、論理チャネルを介して通信するためにパケットセグメンテーションおよびリアセンブリを行い得る。媒体アクセス制御（ＭＡＣ）レイヤは、優先処理（priority handling）および論理チャネルのトランスポートチャネルへの多重化を行い得る。ＭＡＣレイヤはまた、リンク効率を向上させるためのＭＡＣレイヤにおける再送を提供するためにハイブリッド自動再送要求（ＨＡＲＱ）も使用し得る。制御プレーンにおいて、無線リソース制御（ＲＲＣ）プロトコルレイヤは、モバイルデバイス１１５と基地局１０５との間のＲＲＣ接続の確立、構成、および維持を提供し得る。ＲＲＣプロトコルレイヤはまた、ユーザプレーンデータのための無線ベアラをサポートするコアネットワーク１３０のためにも使用され得る。物理（ＰＨＹ）レイヤにおいて、トランスポートチャネルは、物理チャネルにマッピングされ得る。
【００３１】
[0043]  モバイルデバイス１１５は、ワイヤレス通信システム１００全体にわたって分散され得、各モバイルデバイス１１５は、固定またはモバイルであり得る。モバイルデバイス１１５はまた、当業者によって、ユーザ機器（ＵＥ）、モバイル局、加入者局、ＳＴＡ、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の何らかの好適な用語を含み得るか、またはそれで称され得る。モバイルデバイス１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局、または同様のものであり得る。モバイルデバイスは、マクロｅＮＢ、スモールセルｅＮＢ、中継基地局、および同様のものを含む、様々なタイプの基地局ならびにネットワーク機器と通信することができ得る。モバイルデバイス１１５は、適応型スキャニング技法を採用するマルチ無線デバイスであり得る。例えば、モバイルデバイス１１５は、それの無線機の１つ（例えば、ＬＴＥ無線機またはＷＬＡＮ無線機）のスキャニング動作を、それの無線機のもう１つの方の信号品質に基づいて動的に適応させ得る。
【００３２】
[0044]  ワイヤレス通信システム１００中に示されている通信リンク１２５は、モバイルデバイス１１５から基地局１０５またはＡＰ１２０へのアップリンク（ＵＬ）伝送、または基地局１０５またはＡＰ１２０からモバイルデバイス１１５へのダウンリンク（ＤＬ）伝送を含み得る。ダウンリンク伝送は、順方向リンク伝送とも呼ばれ得、一方でアップリンク伝送は、逆方向リンク伝送とも呼ばれ得る。各通信リンク１２５は、１つまたは複数のキャリアを含み得、ここで、各キャリアは、上述された様々な無線技術にしたがって変調された複数のサブキャリア（例えば、異なる周波数の波形信号）で構成されている信号であり得る。変調された各信号は、異なるサブキャリア上で送られ得、制御情報（例えば、基準信号、制御チャネル、等）、オーバヘッド情報、ユーザデータ、等を搬送し得る。通信リンク１２５は、（例えば、ペアのスペクトルリソース（paired spectrum resources）を使用する）周波数分割複信（ＦＤＤ）、または（例えば、ペアではないスペクトルリソース（unpaired spectrum resources）を使用する）時分割複信（ＴＤＤ）動作を使用して双方向通信を伝送し得る。ＦＤＤに関するフレーム構造（例えば、フレーム構造タイプ１）およびＴＤＤに関するフレーム構造（例えば、フレーム構造タイプ２）が定義され得る。
【００３３】
[0045]  通信リンク１２５は、認可スペクトルまたは無認可ペクトル、またはその両方のリソースを利用し得る。大まかに言うと、いくつかの管轄（jurisdictions）での無認可スペクトルは、６００メガヘルツ（ＭＨｚ）から６ギガヘルツ（ＧＨｚ）までの範囲に及び得る。よって、本明細書で使用されるとき、「無認可スペクトル（unlicensed spectrum）」または「共有スペクトル（shared spectrum）」という用語は、それらの帯域の周波数にかかわりなく産業科学医療用（ＩＳＭ：industrial, scientific and medical）無線帯域を指すことができる。いくつかの例において、無認可スペクトルは、Ｕ−ＮＩＩ無線帯域であり、これは、５ＧＨｚまたは５Ｇ帯域とも称され得る。対照的に、「認可スペクトル（licensed spectrum）」または「セルラスペクトル」という用語は、本明細書では、所管官庁からの管理的認可（administrative license）の下にある、ワイヤレスネットワークオペレータによって利用されるワイヤレススペクトルを指すために使用され得る。
【００３４】
[0046]  ワイヤレス通信システム１００は、キャリアアグリゲーション（ＣＡ）またはマルチキャリア動作と称され得る特徴、複数のセルまたはキャリア上の動作をサポートし得る。キャリアは、コンポーネントキャリア（ＣＣ）、レイヤ、チャネル、等とも称され得る。「キャリア」、「コンポーネントキャリア」、「セル」、および「チャネル」という用語は、本明細書では交換可能に使用され得る。モバイルデバイス１１５は、キャリアアグリゲーションのための複数のダウンリンクＣＣと１つまたは複数のアップリンクＣＣとで構成され得る。ＦＤＤおよびＴＤＤコンポーネントキャリアの両方を有するキャリアアグリゲーションが使用され得る。
【００３５】
[0047]  いくつかの例において、デュアル無線ＵＥ１１５−ａは、ＷＬＡＮ無線機（図示せず）およびＬＴＥ無線機（図示せず）を含み、共有スペクトルを利用して基地局１０５およびＡＰ１２０と同時に通信するように構成され得る。結果として、いくつかの例において、ＵＥ１１５−ａは、基地局１０５、ＡＰ１２０、または共有スペクトルを介して動作する他のモバイルデバイス１１５からの干渉を検出し得る。ＵＥ１１５−ａは、よって、ＬＴＥコンポーネントとＷＬＡＮコンポーネントとを有する波形を含む畳み込み信号を受信し得る。したがって、ＵＥ１１５−ａは、本明細書に説明されるＲＡＴ間干渉除去技法を採用することによって、畳み込み信号から干渉を取り除き得る。特に、ＵＥ１１５−ａは、無線機（例えば、ＷＬＡＮ無線機）が、所望の信号（例えば、ＬＴＥ信号）とインターリーブされた干渉信号（例えば、ＷＬＡＮ信号）の一部分を再構築することを可能にし得る。結果として、再構築された信号は、畳み込み信号の所望のコンポーネントを作り出すために、受信された信号から取り除かれ得る。
【００３６】
[0048]  図２は、本開示の様々な態様にしたがって、ＲＡＴ間干渉除去のためのワイヤレス通信システム２００の例を例示する。ワイヤレス通信システム２００は、ＵＥ１１５−ｂおよび１１５−ｃを含み得、これらは、図１を参照して上述されたモバイルデバイス１１５の例であり得る。ワイヤレス通信システム２００は、基地局１０５−ａも含み得、これは、図１を参照して上述された基地局１０５の例であり得る。ワイヤレス通信システム２００は、ＡＰ１２０−ａも含み得、これは、図１を参照して上述されたＡＰ１２０の例であり得る。
【００３７】
[0049]  ワイヤレス通信システム２００の通常の動作進行中、基地局１０５−ａは、それのカバレッジエリア２１０内の複数のＵＥ（例えば、ＵＥ１１５−ｂ）と通信し得、一方で、ＷＬＡＮアクセスポイント１２０−ａは、それのカバレッジエリア２３０内の複数のＵＥ（例えば、Ｗｉ−Ｆｉデバイス１１５−ｃ）と通信し得る。基地局１０５−ａおよびＵＥ１１５−ｂが認可無線周波数帯域、セルラネットワークを介して通信し、ＷＬＡＮアクセスポイント１２０−ａおよびＵＥ１１５−ｃが、別個の無認可無線周波数帯域を介して通信するとき、通信２２５と２２５−ａとの間の干渉は、大部分または完全に回避され得る。しかし、基地局１０５−ａ／ＵＥ１１５−ｂおよびＷＬＡＮアクセスポイント１２０−ａ／ＵＥ１１５−ｃが各々、無認可周波数帯域または他の重複するものを介して通信するとき、異なるデバイスの通信２２５および２２５−ａに起因する干渉２２６の実質的により大きい可能性が存在する。
【００３８】
[0050]  同じまたは重複しているスペクトルを介して通信するデバイス間の干渉の可能性を低減する１つの方法は、リッスン・ビフォア・トーク（ＬＢＴ：Listen Before Talk）プロトコルといった、コンテンションベースのプロトコル（contention-based protocol）を利用することである。ＬＢＴプロトコルの下では、あるチャネルを介して通信することを望んでいるデバイス（例えば、ＵＥ１１５−ｂ）は、そのチャネルが「クリア」であることを確実にする（すなわち、他のいずれのデバイスもそのチャネルを使用していないことを確実にする）ためにそのチャネルをリッスンし、次いで、そのチャネルを予約するための信号（例えば、そのチャネルが使用中であるサインとして他のデバイスが解釈することになる信号）をブロードキャストし得る。デバイスは、次いで、それが通信することを望むデバイス（例えば、基地局１５０−ａ）に、そのチャネルがクリアであることを確実にするようにも求め得る。これは、異なるデバイス１０５−ａ、１２０−ａが異なるカバレッジエリアを有するという結果になり得るか、または、例えば、第１のデバイス（例えば、ｅＮＢ１０５−ａ）のカバレッジエリア２３０内のデバイスが第１のデバイスによってブロードキャストされた予約信号を受信していないこともあるので、用心（precaution）のためのものであり得る。
【００３９】
[0051]  ＬＢＴまたは他のコンテンションベースのプロトコルの使用にかかわらず、基地局１０５−ａ／ＵＥ１１５−ｂおよびＷＬＡＮアクセスポイント１２０−ａ／ＵＥ１１５−ｃが、同じスペクトル（例えば、無認可無線周波数スペクトル帯域）を介して同時に通信するというシナリオが生じ得る。それゆえ、無認可無線周波数帯域を使用するシステムにおいて、セルラ信号に対する干渉信号（例えば、望まれていないＷＬＡＮ信号）の影響を排除または緩和することができる受信機が望ましいこともある。本開示にしたがって、ＵＥ１１５は、受信された干渉を取り除くＲＡＴ間干渉除去技法を利用し得る。
【００４０】
[0052]  図３は、本開示の様々な態様にしたがって、ＲＡＴ間干渉除去技法を利用するための通信システム３００の例を例示する。通信システム３００は、図１〜２を参照して上述されたＵＥ１１５の例であり得る。通信システム３００は、ＵＥ１１５にコロケートされた（co-located）ＷＬＡＮモデム３２０およびＬＴＥ受信機３２５を含み得る。
【００４１】
[0053]  １つの構成において、ＷＬＡＮモデム３２０およびＬＴＥ受信機３２５は、それぞれ、アンテナ３３０−ａおよび３３０−ｂにおいて畳み込み信号３０５を受信し得る。いくつかの例において、畳み込み信号は、Ｗｉ−Ｆｉコンポーネント３１０（例えば、Ｗｉ−Ｆｉ波形）およびＬＴＥコンポーネント３１５（例えば、ＬＴＥ波形）を含み得る。ＬＴＥ受信機３２５は、畳み込み信号３０５が、所定のしきい値に等しいかまたはそれを上回る別のＲＡＴの干渉信号を含むと決定することによって、ＲＡＴ間干渉除去モードをイネーブルにし得る。検出された干渉信号が所定のしきい値を満たす、またはそれを超える場合、ＬＴＥ受信機３２５は、ＷＬＡＮモデム３２０にメッセージを送信し得、ＷＬＡＮモデム３２０にＬＴＥ受信機３２５の干渉除去を助けるように指示する。助けるようにとのメッセージを受信すると、ＷＬＡＮモデム３２０は、Ｗｉ−Ｆｉコンポーネント３１０を検出するようにチューニングし得る、またはチューニングされ得る。追加的または代替的に、ＲＡＴ間干渉除去モードは、検出された干渉信号が所定のしきい値を下回る場合、ディセーブルにされ得る。このＲＡＴ間干渉除去をイネーブルまたはディセーブルにする機能は、ＲＡＴ間干渉除去が不要であるときにシステムリソース（例えば、処理容量）を節約することによって、システムが電力を浪費しないこと可能にし得る。
【００４２】
[0054]  いくつかの例において、ＷＬＡＮモデム３２０は、ＷＬＡＮ受信機３３５およびパケット・リコンストラクタ３４０を含み得る。ＷＬＡＮ受信機３３５またはパケット・リコンストラクタ３４０は、畳み込み信号３０５を復号する。ＷＬＡＮ受信機３３５のＲＦ変換器３４５は、例えば、無認可または共有無線周波数帯域のワイヤレスチャネルを介して畳み込み信号３０５を受信し得、そして、それは、畳み込み信号３０５のアナログフィルタリングを行い得る。このフィルタリングに続いて、収集された信号は、ＡＤＣモジュール３５０によってデジタル信号（例えば、複数のデジタルサンプル）に変換され得る。デジタルサンプルは、パケット・リコンストラクタ３４０に転送され得る。いくつかの例において、パケット・リコンストラクタ３４０は、符号化器３５５およびパケット・コンストラクタ３６０を含み得、それは、低密度パリティコーディング（ＬＤＣＰ：low-density parity coding）、逆高速フーリエ変換（ＩＦＦＴ）、およびパケット化（packetization）（例えば、ＩＥＥＥ８０２．１１ａｃのパケット化）を採用し得る。パケット・リコンストラクタ３４０は、よって、信号３０５のデジタルサンプルを符号化し、受信されたＷｉ−Ｆｉパケットを再構築し、畳み込み信号３０５のＷｉ−Ｆｉコンポーネント３１０を取得し得る。パケット・リコンストラクタ３４０は、ＷＬＡＮコンポーネント３１０を送信したアクセスポイントに関連付けられることなく再構築を行うように構成され得る。畳み込み信号３０５のＷｉ−Ｆｉコンポーネント３１０を再構築すると、パケット・リコンストラクタ３４０は、再構築されたＷｉ−Ｆｉ信号３９２をＬＴＥ受信機３２５に送り得る。
【００４３】
[0055]  同時に、ＬＴＥ受信機３２５は、アンテナ３３０−ｂにおいて畳み込み信号３０５を受信し得る。ＲＦ変換器３６５は、共有スペクトルを介して畳み込み信号３０５を受信し、受信された信号に対してアナログフィルタリングを行い得る。フィルタリングに続いて、受信された信号の収集物は、ＡＤＣモジュール３７０によってデジタル信号に変換され、バッファ３７５内に置かれ得る。いくつかの例において、ＷＬＡＮモデム３２０がＷｉ−Ｆｉ信号３９２を再構築することを可能にするように、バッファ３７５は、ＬＴＥ受信機３２５による受信された信号３０５の処理を遅らせるために利用され得る。
【００４４】
[0056]  再構築されたＷｉ−Ｆｉ信号３９２の受信に続いて、ＬＴＥ受信機３２５は、再構築されたＷｉ−Ｆｉ信号３９２に対して適応フィルタリング３８５を行い、干渉除去モジュール３８０にＷｉ−Ｆｉ信号３９２を転送し得る。この適応フィルタリングは、ＷＬＡＮモデム３２０とＬＴＥ受信機３２５との間のアンテナまたはアナログ利得差を推定するために、システム３００によって使用され得る。いくつかの例において、干渉除去モジュール３８０は、バッファ３７５に記憶された畳み込み信号３０５のデジタルサンプルからＷｉ−Ｆｉ信号３９２を取り除く。Ｗｉ−Ｆｉコンポーネントを取り除くことは、ＬＴＥ受信機３２５が、クリーンなＬＴＥコンポーネント３９４を生成することを可能にすることができ、これは、順に、復調器３９０によって復調され、システム３００によって利用され得る。
【００４５】
[0057]  図４は、本開示の様々な態様にしたがって、ＲＡＴ間干渉除去のための通信システム４００の例を例示する。通信システム４００は、ＵＥ１１５−ｄを含み得、これは、図１〜２を参照して上述されたＵＥ１１５の例であり得る。いくつかの例において、ＵＥ１１５−ｄは、ＷＬＡＮ無線機４０５およびＬＴＥ無線機４１０を含み得、これらは、図３を参照して上述されたモデムまたは受信機を含み得る。通信システム４００はまた、アクセスポイント１２０−ｂおよび基地局１０５−ｂも含み得、これらは、図１〜２を参照して上述されたアクセスポイント１２０および基地局１０５の例であり得る。
【００４６】
[0058]  いくつかの例において、ＷＬＡＮ無線機４０５およびＬＴＥ無線機４１０は、共有または無認可スペクトルを介してアクセスポイント１２０−ｂおよび基地局１０５−ｂと通信し得る。よって、いくつかの例において、ＵＥ１１５−ｄは、ＷＬＡＮ信号４０２およびＬＴＥ信号４０４を受信し得、これらは、時間または周波数において重複することもあり、よって、ＲＡＴ間干渉をもたらし得る。ＵＥ１１５−ｄは、信号４０２および４０４を受信すると、干渉４０６を検出し、干渉信号（例えば、ＷＬＡＮ信号４０２）が所定のしきい値レベルを超えることを決定し得る。結果として、ＵＥ１１５−ｄは、干渉除去を助けるように通知４０８をＷＬＡＮ無線機４０５に送信することによって、ＲＡＴ間干渉除去モードをイネーブルにすることを要求し得る。
【００４７】
[0059]  イネーブル通知（enablement notification）４０８に基づいて、ＷＬＡＮ無線機４０５は、ＷＬＡＮ信号４１２を生成し、再構築されたＷＬＡＮ信号４１４をＬＴＥ無線機４１０に送信し得る。いくつかのケースにおいて、ＬＴＥ無線機４１０は、再構築されたＷＬＡＮ信号４１６に基づいてＬＴＥ信号５０４を識別し得、いずれのＷＬＡＮ信号もないＬＴＥ信号を作り出すために畳み込み信号からＷＬＡＮ信号４１６を取り除き得る。しかしながら、当業者は、ここに説明されている技法がこの例に限定されるものではないことを認識するであろう。むしろ、いくつかのＲＡＴ間干渉除去方式が、これらの技法を利用し得る。例えば、ＲＡＴ間干渉除去技法は、図５を参照して説明されるように、ＷＬＡＮ無線機４０５がＷＬＡＮ信号からセルラ信号を取り除くことを可能にするように適応され得る。
【００４８】
[0060]  図５は、本開示の様々な態様にしたがって、ＲＡＴ間干渉除去のための通信システム５００の例を例示する。通信システム５００は、ＵＥ１１５−ｅを含み得、これは、図１〜２を参照して上述されたＵＥ１１５の例であり得る。いくつかの例において、ＵＥ１１５−ｅは、ＷＬＡＮ無線機４０５−ａおよびＬＴＥ無線機４１０−ａを含み得、これらは、図２〜４を参照して説明されたＷＬＡＮ無線機４０５およびＬＴＥ無線機４１０の例であり得、また、これらは、図３を参照して上述されたモデムまたは受信機を含み得る。通信システム５００はまた、アクセスポイント１２０−ｃおよび基地局１０５−ｃも含み得、これらは、図１〜４を参照して上述されたアクセスポイント１２０および基地局１０５の例であり得る。
【００４９】
[0061]  ＷＬＡＮ無線機４０５−ａおよびＬＴＥ無線機４１０−ａは、共有または無認可スペクトルを介してアクセスポイント１２０−ｃおよび基地局１０５−ｃと通信し得る。よって、いくつかの例において、ＵＥ１１５−ｅは、時間または周波数において重複し得る、（１つまたは複数の）ＷＬＡＮ信号５０２および（１つまたは複数の）ＬＴＥ信号５０４を受信し、よって、ＲＡＴ間干渉をもたらし得る。例えば、ＵＥ１１５−ｅは、信号５０２および５０４を受信すると、ＷＬＡＮ無線機４０５−ａにおける干渉５０６を検出し、干渉信号（例えば、ＬＴＥ信号５０４）が所定のしきい値レベルを超えることを決定し得る。結果として、ＵＥ１１５−ｅは、干渉除去を助けるようにＷＬＡＮ無線機４０５−ａからＬＴＥ無線機４１０−ａに通知５０８を送信することによって、ＲＡＴ間干渉除去モードをイネーブルにすることを要求し得る。
【００５０】
[0062]  イネーブル通知５０８を受信することに基づいて、ＬＴＥ無線機４１０−ａは、ＬＴＥ信号５１２を生成し、再構築されたＬＴＥ信号５１４をＷＬＡＮ無線機４０５−ａに送信し得る。１つまたは複数の例において、ＷＬＡＮ無線機４０５−ａは、ＬＴＥ信号５１４の受信に基づいてＷＬＡＮ信号５０２を識別し、いずれのＬＴＥ信号もないＷＬＡＮ信号を作り出すために、（１つまたは複数の）畳み込み信号からＬＴＥ信号５１４を取り除き得る。
【００５１】
[0063]  図６は、本開示の様々な態様にしたがって、ＲＡＴ間干渉除去のために構成されたＵＥ１１５−ｆのブロック図６００を示す。ＵＥ１１５−ｆは、図１〜５を参照して説明されたＵＥ１１５の態様の例であり得る。ＵＥ１１５−ｆは、受信機６０５、干渉除去マネージャ６１０、または送信機６１５を含み得る。ＵＥ１１５−ｆは、プロセッサも含み得る。これらのコンポーネントの各々は、互いに通信状態にあり得る。
【００５２】
[0064]  受信機６０５は、様々な情報チャネル（例えば、制御チャネル、データチャネル、およびＬＴＥとＷＬＡＮとの間のＲＡＴ間干渉除去に関連する情報、等）に関連付けられた制御情報、ユーザデータ、またはパケットといった情報を受信し得る。情報は、干渉除去マネージャ６１０に渡され、ＵＥ１１５−ｆの他のコンポーネントに渡され得る。いくつかの例において、受信機６０５は、共有チャネルを介して、複数のＲＡＴ波形を備える畳み込み信号を受信し得る。
【００５３】
[0065]  干渉除去マネージャ６１０は、共有チャネルを介して複数のＲＡＴ波形を含む畳み込み信号を受信し、第１の無線機で複数のＲＡＴ波形から第１のＲＡＴ波形の第１の信号を再構築し、再構築された第１の信号に基づいて、第２の無線機で複数のＲＡＴ波形から第２のＲＡＴ波形の第２の信号を識別し得る。
【００５４】
[0066]  送信機６１５は、ＵＥ１１５−ｆの他のコンポーネントから受信された信号を送信し得る。いくつかの実施形態において、送信機６１５は、トランシーバモジュール内に受信機６０５とコロケートされ得る。送信機６１５は単一のアンテナを含み得るか、または、それは、複数のアンテナを含み得る。
【００５５】
[0067]  図７は、本開示の様々な態様にしたがって、ＬＴＥとＷＬＡＮとの間のＲＡＴ間干渉除去のためのＵＥ１１５−ｇのブロック図７００を示す。ＵＥ１１５−ｇは、図１〜６を参照して説明されたＵＥ１１５の態様の例であり得る。ＵＥ１１５−ｇは、受信機６０５−ａ、干渉除去マネージャ６１０−ａ、または送信機６１５−ａを含み得る。ＵＥ１１５−ｇは、プロセッサも含み得る。これらのコンポーネントの各々は、互いに通信状態にあり得る。干渉除去マネージャ６１０−ａは、パケット・リコンストラクタ７０５、および信号識別器７１０も含み得る。
【００５６】
[0068]  受信機６０５−ａは、干渉除去マネージャ６１０−ａに、およびＵＥ１１５−ｇの他のコンポーネントに、渡され得る情報を受信し得る。干渉除去マネージャ６１０−ａは、図６を参照して上述された動作を行い得る。送信機６１５−ａは、ＵＥ１１５−ｇの他のコンポーネントから受信された信号を送信し得る。
【００５７】
[0069]  パケット・リコンストラクタ７０５は、図２〜５を参照して上述されたように、第１の無線機で複数のＲＡＴ波形から第１のＲＡＴ波形の第１の信号を再構築し得る。いくつかの例において、第１の無線機は、モデムであるか、またはモデムを含み、これは、受信機およびパケット・リコンストラクタを含む。いくつかの例において、第１の無線機はＷＬＡＮモデムを含む。例えば、第１の信号はＷＬＡＮ信号であり得、第２の信号はＬＴＥ信号であり得る。
【００５８】
[0070]  信号識別器７１０は、図２〜５を参照して上述されたように、再構築された第１の信号に基づいて、第２の無線機で複数のＲＡＴ波形から第２のＲＡＴ波形の第２の信号を識別し得る。いくつかの例において、第２の無線機はＬＴＥ受信機を含む。
【００５９】
[0071]  図８は、本開示の様々な態様にしたがって、ＲＡＴ間干渉除去のための干渉除去マネージャ６１０−ｂのブロック図８００を示す。干渉除去マネージャ６１０−ｂは、図６〜７を参照して説明された干渉除去マネージャ６１０の態様の例であり得る。干渉除去マネージャ６１０−ｂは、パケット・リコンストラクタ７０５−ａ、および信号識別器７１０−ａを含み得る。これらのモジュールの各々は、図７を参照して上述された機能を行い得る。干渉除去マネージャ６１０−ｂは、干渉検出器８０５、信号生成器８１０、ＲＡＴ間干渉イネーブラ（enabler）８１５、ＲＡＴ間干渉ディセーブラ（disabler）８２０、復号器８２５、変調識別器８３０、および復調器８３５も含み得る。
【００６０】
[0072]  干渉検出器８０５は、図２〜５を参照して上述されたように、畳み込み信号に関連付けられた干渉レベルがしきい値以上であることを決定し得る。干渉検出器８０５は、畳み込み信号のＳＩＮＲを識別することを備えて、畳み込み信号に関連付けられた干渉レベルを決定し得る。干渉検出器８０５は、畳み込み信号に関連付けられた干渉レベルがしきい値よりも少ないことも決定し得る。
【００６１】
[0073]  信号生成器８１０は、図２〜５を参照して上述されたように、決定することに基づいて、第１のＲＡＴ波形の再構築された第１の信号を生成し得る。信号生成器８１０は、また、第１の信号を生成するために、畳み込み信号の一部分を第１の無線機で再構築し得る。
【００６２】
[0074]  ＲＡＴ間干渉イネーブラ８１５は、図２〜５を参照して上述されたように、第２の無線機から第１の無線機に、再構築された第１の信号を生成するようにインジケーションを送り得る。いくつかの例において、ＲＡＴ間干渉ディセーブラ８２０は、図２〜５を参照して上述されたように、第２の無線機から第１の無線機に、信号の再構築を中止するようにインジケーションを送り得る。
【００６３】
[0075]  復号器８２５は、図２〜５を参照して上述されたように、第１の無線機で畳み込み信号を復号し得る。変調識別器８３０は、図２〜５を参照して上述されたように、畳み込み信号のための変調またはコーディング方式を識別し得る。追加的または代替的に、復調器８３５は、図２〜５を参照して上述されたように、変調またはコーディング方式に基づいて、畳み込み信号の一部分を復調し得る。
【００６４】
[0076]  ＵＥ１１５−ｆ、ＵＥ１１５−ｇ、または干渉除去マネージャ６１０−ｂのコンポーネントは、個別に、または集合的に、ハードウェア内の適用可能な機能のいくつかまたはすべてを行うように適応された少なくとも１つの特定用途向け集積回路（ＡＳＩＣ）でインプリメントされ得る。代替的に、機能は、少なくとも１つのＩＣ上で、１つまたは複数の他の処理ユニット（または、コア）によって行われ得る。他の実施形態において、他のタイプの集積回路（例えば、構造化／プラットフォームＡＳＩＣ、フィールドプログラマブルゲートアレイ（ＦＰＧＡ）、または別のセミ・カスタムＩＣ）が使用され得、それらは、当該技術分野において既知の任意の方法でプログラムされ得る。各ユニットの機能はまた、１つまたは複数の汎用または特定用途向けのプロセッサによって実行されるようにフォーマット化された、メモリ内に具現化された命令で、全体的または部分的にインプリメントされ得る。
【００６５】
[0077]  図９は、本開示の様々な態様にしたがって、ＲＡＴ間干渉除去のために構成されたＵＥ１１５を含むシステム９００の図を示す。システム９００は、ＵＥ１１５−ｈを含み得、これは、図１〜８を参照して上述されたＵＥ１１５の例であり得る。ＵＥ１１５−ｈは、干渉除去マネージャ９１０を含み得、これは、図６〜８を参照して説明された干渉除去マネージャ６１０の例であり得る。ＵＥ１１５−ｈは、ＲＡＴ間干渉除去コントローラ９２５も含み得る。ＵＥ１１５−ｈは、通信を送信するためのコンポーネントと通信を受信するためのコンポーネントとを含む、双方向の音声およびデータ通信のためのコンポーネントも含み得る。例えば、ＵＥ１１５−ｈは、ＵＥ１１５−ｉまたは基地局１０５−ｄと双方向に通信し得る。モバイルデバイス１１５−ｈは、ＷＬＡＮ無線機９５０およびＬＴＥ無線機９５５も含み得、これらは、図４−ｄを参照して説明されたＷＬＡＮ無線機４０５およびＬＴＥ無線機４１０の例であり得る。ＷＬＡＮ無線機９５０およびＬＴＥ無線機９５５は、トランシーバ９３５およびアンテナ９４０を介した、他のネットワークデバイス、例えば、図１〜２に示されたような基地局１０５−ｄおよびＡＰ１２０との通信を管理し得る。
【００６６】
[0078]  ＲＡＴ間干渉除去コントローラ９２５は、図２〜５を参照して説明されたように、ＵＥ１１５−ｈにおいて経験された干渉のレベルを検出し、ＲＡＴ間干渉除去モードをイネーブルにするべきかディセーブルにするべきかを決定し得る。いくつかの例において、ＲＡＴ間干渉除去コントローラ９２５は、干渉信号を再構築して干渉除去を助けるべきか否かを第２のコロケートされた無線機に通知するメッセージを生成し得る。他の例において、ＲＡＴ間干渉除去コントローラ９２５は、干渉レベルが所定のしきい値を下回るという決定に基づいて、干渉除去の支援を中止するように第２のコロケートされた無線機に通知し得る。
【００６７】
[0079]  ＵＥ１１５−ｈは、プロセッサモジュール９０５、およびメモリ９１５（ソフトウェア（ＳＷ）９２０を含む）、トランシーバモジュール９３５、および１つまたは複数のアンテナ９４０も含み得、これらの各々は、（例えば、バス９４５を介して）互いに直接的または間接的に通信し得る。上述されたように、トランシーバモジュール９３５は、（１つまたは複数の）アンテナ９４０、または有線あるいはワイヤレスのリンクを介して、１つまたは複数のネットワークと双方向に通信し得る。例えば、トランシーバモジュール９３５は、基地局１０５またはもう１つのＵＥ１１５と双方向に通信し得る。トランシーバモジュール９３５は、パケットを変調し、その変調されたパケットを送信のために（１つまたは複数の）アンテナ９４０に提供することと、（１つまたは複数の）アンテナ９４０から受信されたパケットを復調することと、を行うモデムを含み得る。ＵＥ１１５−ｈが単一のアンテナ９４０を含み得る一方で、ＵＥ１１５−ｈは、複数のワイヤレス伝送を同時に送信または受信することが可能な複数のアンテナ９４０も有し得る。
【００６８】
[0080]  メモリモ９１５は、ランダムアクセスメモリ（ＲＡＭ）および読み取り専用メモリ（ＲＯＭ）を含み得る。メモリ９１５は、実行されると、プロセッサモジュール９０５に、本明細書に説明された様々な機能（例えば、ＬＴＥとＷＬＡＮとの間のＲＡＴ間干渉除去、等）を行わせる命令を含む、コンピュータ可読、コンピュータ実行可能ソフトウェア／ファームウェアコード９２０を記憶し得る。代替的に、ソフトウェア／ファームウェアコード９２０は、プロセッサモジュール９０５によって直接的に実行可能ではないこともあるが、（例えば、コンパイルおよび実行されると）、コンピュータに、本明細書に説明されている機能を行わせ得る。プロセッサモジュール９０５は、インテリジェントハードウェアデバイス（例えば、中央処理ユニット（ＣＰＵ）、マイクロコントローラ、ＡＳＩＣ、等）を含み得る。
【００６９】
[0081]  図１０は、本開示の様々な態様にしたがって、ＲＡＴ間干渉除去のための方法１０００を例示するフローチャートを示す。方法１０００の動作は、図１〜９を参照して説明されたＵＥ１１５またはそれのコンポーネントによってインプリメントされ得る。例えば、方法１０００の動作は、図６〜１０を参照して説明された干渉除去マネージャ６１０によって行われ得る。いくつかの例において、ＵＥ１１５は、以下に説明される機能を行うようにＵＥ１１５の機能的要素を制御するコードのセットを実行し得る。追加的または代替的に、ＵＥ１１５は、専用ハードウェアを使用して、以下に説明される機能態様を行い得る。
【００７０】
[0082]  ブロック１００５において、ＵＥ１１５は、図２〜５を参照して上述されたように、共有チャネルを介して複数のＲＡＴ波形を備える畳み込み信号を受信し得る。ある特定の例において、ブロック１００５の動作は、図６を参照して上述された受信機６０５によって行われ得る。
【００７１】
[0083]  ブロック１０１０において、ＵＥ１１５は、図２〜５を参照して上述されたように、第１の無線機で複数のＲＡＴ波形から第１のＲＡＴ波形の第１の信号を再構築し得る。ある特定の例において、ブロック１０１０の動作は、図７を参照して上述されたパケット・リコンストラクタ７０５によって行われ得る。
【００７２】
[0084]  ブロック１０１５において、ＵＥ１１５は、図２〜５を参照して上述されたように、再構築された第１の信号に基づいて、第２の無線機で複数のＲＡＴ波形から第２のＲＡＴ波形の第２の信号を識別し得る。ある特定の例において、ブロック１０１５の動作は、図７を参照して上述された信号識別器７１０によって行われ得る。
【００７３】
[0085]  図１１は、本開示の様々な態様にしたがって、ＬＴＥとＷＬＡＮとの間のＲＡＴ間干渉除去のための方法１１００を例示するフローチャートを示す。方法１１００の動作は、図１〜９を参照して説明されたＵＥ１１５またはそれのコンポーネントによってインプリメントされ得る。例えば、方法１１００の動作は、図６〜１０を参照して説明された干渉除去マネージャ６１０によって行われ得る。いくつかの例において、ＵＥ１１５は、以下に説明される機能を行うようにＵＥ１１５の機能的要素を制御するコードのセットを実行し得る。追加的または代替的に、ＵＥ１１５は、専用ハードウェアを使用して、以下に説明される機能態様を行い得る。方法１１００は、図１０の方法１０００の態様も組み込み得る。
【００７４】
[0086]  ブロック１１０５において、ＵＥ１１５は、図２〜５を参照して上述されたように、共有チャネルを介して複数のＲＡＴ波形を備える畳み込み信号を受信し得る。ある特定の例において、ブロック１１０５の動作は、図６を参照して上述された受信機６０５によって行われ得る。
【００７５】
[0087]  ブロック１１１０において、ＵＥ１１５は、図２〜５を参照して上述されたように、畳み込み信号に関連付けられた干渉レベルがしきい値以上であることを決定し得る。ある特定の例において、ブロック１１１０の動作は、図８を参照して上述された干渉検出器８０５によって行われ得る。
【００７６】
[0088]  ブロック１１１５において、ＵＥ１１５は、図２〜５を参照して上述されたように、第１の無線機で複数のＲＡＴ波形から第１のＲＡＴ波形の第１の信号を再構築し得る。ある特定の例において、ブロック１１１５の動作は、図７を参照して上述されたパケット・リコンストラクタ７０５によって行われ得る。
【００７７】
[0089]  ブロック１１２０において、ＵＥ１１５は、図２〜５を参照して上述されたように、再構築された第１の信号に基づいて、第２の無線機で複数のＲＡＴ波形から第２のＲＡＴ波形の第２の信号を識別し得る。ある特定の例において、ブロック１１２０の動作は、図７を参照して上述された信号識別器７１０によって行われ得る。
【００７８】
[0090]  図１２は、本開示の様々な態様にしたがって、ＬＴＥとＷＬＡＮとの間のＲＡＴ間干渉除去のための方法１２００を例示するフローチャートを示す。方法１２００の動作は、図１〜９を参照して説明されたＵＥ１１５またはそれのコンポーネントによってインプリメントされ得る。例えば、方法１２００の動作は、図６〜１０を参照して説明された干渉除去マネージャ６１０によって行われ得る。いくつかの例において、ＵＥ１１５は、以下に説明される機能を行うようにＵＥ１１５の機能的要素を制御するコードのセットを実行し得る。追加的または代替的に、ＵＥ１１５は、専用ハードウェアを使用して、以下に説明される機能態様を行い得る。方法１２００は、図１０〜１１の方法１０００および１１００の態様も組み込み得る。
【００７９】
[0091]  ブロック１２０５において、ＵＥ１１５は、図２〜５を参照して上述されたように、共有チャネルを介して複数のＲＡＴ波形を備える畳み込み信号を受信し得る。ある特定の例において、ブロック１２０５の動作は、図６を参照して上述された受信機６０５によって行われ得る。
【００８０】
[0092]  ブロック１２１０において、ＵＥ１１５は、図２〜５を参照して上述されたように、畳み込み信号に関連付けられた干渉レベルがしきい値よりも少ないことを決定し得る。ある特定の例において、ブロック１２１０の動作は、図８を参照して上述された干渉検出器８０５によって行われ得る。
【００８１】
[0093]  ブロック１２１５において、ＵＥ１１５は、図２〜５を参照して上述されたように、第２の無線機から第１の無線機に、信号の再構築を中止するようにインジケーションを送り得る。ある特定の例において、ブロック１２１５の動作は、図８を参照して上述されたＲＡＴ間干渉ディセーブラ８２０によって行われ得る。
【００８２】
[0094]  図１３は、本開示の様々な態様にしたがって、ＬＴＥとＷＬＡＮとの間のＲＡＴ間干渉除去のための方法１３００を例示するフローチャートを示す。方法１３００の動作は、図１〜９を参照して説明されたＵＥ１１５またはそれのコンポーネントによってインプリメントされ得る。例えば、方法１３００の動作は、図６〜１０を参照して説明された干渉除去マネージャ６１０によって行われ得る。いくつかの例において、ＵＥ１１５は、以下に説明される機能を行うようにＵＥ１１５の機能的要素を制御するコードのセットを実行し得る。追加的または代替的に、ＵＥ１１５は、専用ハードウェアを使用して、以下に説明される機能態様を行い得る。方法１３００は、図１０〜１２の方法１０００、１１００、および１２００の態様も組み込み得る。
【００８３】
[0095]  ブロック１３０５において、ＵＥ１１５は、図２〜５を参照して上述されたように、共有チャネルを介して複数のＲＡＴ波形を備える畳み込み信号を受信し得る。ある特定の例において、ブロック１３０５の動作は、図６を参照して上述された受信機６０５によって行われ得る。
【００８４】
[0096]  ブロック１３１０において、ＵＥ１１５は、図２〜５を参照して上述されたように、畳み込み信号のための変調またはコーディング方式を識別し得る。ある特定の例において、ブロック１３１０の動作は、図８を参照して上述された変調識別器８３０によって行われ得る。
【００８５】
[0097]  ブロック１３１５において、ＵＥ１１５は、図２〜５を参照して上述されたように、変調またはコーディング方式に基づいて、畳み込み信号の一部分を復調し得る。ある特定の例において、ブロック１３１５の動作は、図８を参照して上述された復調器８３５によって行われ得る。
【００８６】
[0098]  ブロック１３２０において、ＵＥ１１５は、図２〜５を参照して上述されたように、第１の信号を生成するために畳み込み信号の一部分を第１の無線機で再構築し得る。ある特定の例において、ブロック１３２０の動作は、図８を参照して上述された信号生成器８１０によって行われ得る。
【００８７】
[0099]  ブロック１３２５において、ＵＥ１１５は、図２〜５を参照して上述されたように、再構築された第１の信号に基づいて、第２の無線機で複数のＲＡＴ波形から第２のＲＡＴ波形の第２の信号を識別し得る。ある特定の例において、ブロック１３２５の動作は、図７を参照して上述された信号識別器７１０によって行われ得る。
【００８８】
[0100]  このように、方法１０００、１１００、１２００、および１３００は、ＬＴＥとＷＬＡＮとの間のＲＡＴ間干渉除去を提供し得る。方法１０００、１１００、１２００、および１３００が、可能なインプリメンテーションを説明しており、動作およびステップが、他のインプリメンテーションが可能になるように並べ替えられ得るか、またはそうでない場合は修正され得ることが留意されるべきである。いくつかの例において、方法１０００、１１００、１２００、および１３００のうちの２つ以上から態様が組み合わされ得る。
【００８９】
[0101]  添付の図面に関連して上述された詳細な説明は、例となる実施形態を説明するもので、インプリメントされ得るか、または特許請求の範囲内にあり得るすべての実施形態を表すものではない。「実例的な」という用語は、本説明に使用されるとき、「好ましい」または「他の実施形態に対して有利である」ということではなく、「例、事例、または例示としての役割をすること」を意味する。詳細な説明は、説明された技法の理解を提供する目的で具体的な詳細を含む。しかしながら、これらの技法は、これらの具体的な詳細なしに実現され得る。いくつかの事例において、周知の構造およびデバイスは、説明された実施形態の概念を曖昧にすることを避けるためにブロック図の形態で示される。
【００９０】
[0102]  情報および信号は、様々な異なる技術および技法のいずれかを使用して表され得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【００９１】
[0103]  本明細書での開示に関連して説明された、様々な例示的なブロックおよびモジュールは、本明細書に説明された機能を行うように設計された、汎用プロセッサ、デジタルシグナルプロセッサ（ＤＳＰ）、ＡＳＩＣ、ＦＰＧＡ、または他のプログラマブル論理デバイス、ディスクリートゲートあるいはトランジスタ論理、ディスクリートハードウェアコンポーネント、またはこれらの任意の組み合わせを用いて、インプリメントまたは実行され得る。汎用プロセッサはマイクロプロセッサであり得るが、代替として、このプロセッサは、任意の従来のプロセッサ、コントローラ、マイクロコントローラ、またはステートマシンであり得る。プロセッサは、また、コンピューティングデバイスの組み合わせ（例えば、ＤＳＰとマクロプロセッサの組み合わせ、複数のマイクロプロセッサ、ＤＳＰコアに連結した１つまたは複数のマイクロプロセッサ、または他の任意のそのような構成）としてインプリメントされ得る。
【００９２】
[0104]  本明細書に説明された機能は、ハードウェア、プロセッサによって実行されるソフトウェア、ファームウェア、またはそれらの任意の組み合わせでインプリメントされ得る。プロセッサによって実行されるソフトウェアでインプリメントされる場合、これら機能は、コンピュータ可読媒体上で、１つまたは複数の命令またはコードとして送信あるいは記憶され得る。他の例およびインプリメンテーションは、本開示および添付の特許請求の範囲の有効範囲内にある。例えば、ソフトウェアの本質により、上述された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、様々な位置に物理的に配置され得、機能の複数部分が異なる物理的位置においてインプリメントされるように分散されることを含む。また、特許請求の範囲を含む本明細書で使用されるとき、項目のリスト（例えば、「のうちの少なくとも１つ」あるいは「のうちの１つまたは複数」のようなフレーズで始まる項目のリスト）において使用される「または」は、例えば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、包括的なリストを示す。
【００９３】
[0105]  コンピュータ可読媒体は、１つの場所から別の場所へのコンピュータプログラムの転送を容易にする任意の媒体を含む通信媒体およびコンピュータ記憶媒体の両方を含む。記憶媒体は、汎用または専用コンピュータによってアクセスされることができる任意の利用可能な媒体であり得る。限定ではなく、例として、コンピュータ可読媒体は、ＲＡＭ、ＲＯＭ、電気的に消去可能でプログラム可能な読み取り専用メモリ（ＥＥＰＲＯＭ）（登録商標）、コンパクトディスク（ＣＤ）ＲＯＭまたは他の光学ディスク記憶装置、磁気ディスク記憶装置または他の磁気記憶デバイス、あるいは、命令またはデータ構造の形態で所望のプログラムコード手段を記憶または搬送するために使用されることができ、また、汎用あるいは専用コンピュータ、または汎用あるいは専用プロセッサによってアクセスされることができる、任意の他の媒体を備えることができる。また、任意の接続は、コンピュータ可読媒体と厳密には称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技術を使用して送信される場合、同軸ケーブル、光ファイバーケーブル、ツイストペア、ＤＳＬ、あるいは赤外線、無線、およびマイクロ波のようなワイヤレス技術は、媒体の定義に含まれる。ディスク（disk）およびディスク（disc）は、本明細書に使用されるとき、ＣＤ、レーザーディスク（登録商標）、光ディスク、デジタル多用途ディスク（ＤＶＤ）、フロッピー（登録商標）ディスク、およびＢｌｕ−ｒａｙ（登録商標）ディスクを含み、ここで、ディスク（disk）は通常、磁気的にデータを再生するが、ディスク（disc）は、レーザーを用いて光学的にデータを再生する。上記の組み合わせもまた、コンピュータ可読媒体の範囲内に含まれる。
【００９４】
[0106]  本開示の先の説明は、当業者が本開示を製造または使用することを可能にするために提供される。本開示に対する様々な修正は、当業者にとって容易に明らかになり、本明細書で定義される一般的な原理は、本開示の範囲から逸脱することなく他の変形物に適用され得る。よって、本開示は、本明細書に説明された例および設計に限定されるべきではなく、本明細書に開示された原理および新規の特徴と矛盾しない最も広い範囲であると認められるべきである。
【００９５】
[0107]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムといった、様々なワイヤレス通信システムのために使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘ、等と称される。ＩＳ−８５６（ＴＩＡ−８５６）は、一般に、ＣＤＭＡ２０００ １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他の変形物を含む。ＴＤＭＡシステムは、モバイル通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等、のような無線技術をインプリメントし得る。ＵＴＲＡおよびＥ-ＵＴＲＡは、ユニバーサルモバイル電気通信システム（ＵＭＴＳ）の一部である。３ＧＰＰロングタームエボリューション（ＬＴＥ）およびＬＴＥ−アドバンスド（ＬＴＥ−Ａ）は、Ｅ−ＵＴＲＡを使用するユニバーサルモバイル電気通信システム（ＵＭＴＳ）の新リリースである。ＵＴＲＡ、Ｅ−ＵＴＲＡ、ＵＭＴＳ、ＬＴＥ、ＬＴＥ−Ａ、およびモバイル通信のためのグローバルシステム（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明されている技法は、上述されたシステムおよび無線技術と、ならびに他のシステムおよび無線技術にも使用され得る。しかしながら、上記の説明は、例の目的でＬＴＥシステムを説明しており、ＬＴＥという専門用語が上記の説明のほとんどにおいて使用されているが、その技法はＬＴＥアプリケーションを超えて適用可能である。
以下に、本願の出願当初の特許請求の範囲に記載された発明を付記する。
［Ｃ１］
ユーザ機器（ＵＥ）におけるワイヤレス通信の方法であって、
共有チャネルを介して複数の無線アクセス技術（ＲＡＴ）波形を備える畳み込み信号を受信することと、
第１の無線機で前記複数のＲＡＴ波形から第１のＲＡＴ波形の第１の信号を再構築することと、
前記再構築された第１の信号に基づいて、第２の無線機で前記複数のＲＡＴ波形から第２のＲＡＴ波形の第２の信号を識別することと
を備える、方法。
［Ｃ２］
前記畳み込み信号に関連付けられた干渉レベルがしきい値以上であることを決定することと、
前記決定することに基づいて前記第１のＲＡＴ波形の前記再構築された第１の信号を生成することと
をさらに備える、Ｃ１に記載の方法。
［Ｃ３］
前記畳み込み信号に関連付けられた前記干渉レベルを決定することは、前記干渉レベルを決定するために前記第２の無線機を利用することを備え、前記方法は、
前記第２の無線機から前記第１の無線機に、前記再構築された第１の信号を生成するようにインジケーションを送ること
をさらに備える、Ｃ２に記載の方法。
［Ｃ４］
前記畳み込み信号に関連付けられた前記干渉レベルを決定することは、前記畳み込み信号の信号対干渉・雑音比（ＳＩＮＲ：a signal-to-interference-plus-noise-ratio）を識別することを備える、Ｃ２に記載の方法。
［Ｃ５］
前記畳み込み信号に関連付けられた干渉レベルがしきい値よりも少ないことを決定することと、
前記第２の無線機から前記第１の無線機に、信号の再構築を中止するようにインジケーションを送ることと
をさらに備える、Ｃ１に記載の方法。
［Ｃ６］
前記第１の無線機で前記畳み込み信号を復号することと、
前記第１の信号を生成するために前記畳み込み信号の一部分を前記第１の無線機で再構築することと
をさらに備える、Ｃ１に記載の方法。
［Ｃ７］
前記第１の無線機で前記畳み込み信号を復号することは、
前記畳み込み信号のための変調またはコーディング方式を識別することと、
前記変調またはコーディング方式に基づいて前記畳み込み信号の一部分を復調することと
を備える、Ｃ６に記載の方法。
［Ｃ８］
前記第２の信号を識別することは、
前記畳み込み信号から前記第１のＲＡＴ波形の前記再構築された第１の信号を除去すること
を備える、Ｃ１に記載の方法。
［Ｃ９］
前記第１の無線機は、受信機とパケット・リコンストラクタとを備える、Ｃ１に記載の方法。
［Ｃ１０］
前記第１の無線機は、ワイヤレスローカルエリアネットワーク（ＷＬＡＮ）モデムを備える、Ｃ１に記載の方法。
［Ｃ１１］
前記第２の無線機は、ロングタームエボリューション（ＬＴＥ）受信機を備える、Ｃ１に記載の方法。
［Ｃ１２］
前記第１の信号は、ワイヤレスローカルエリアネットワーク（ＷＬＡＮ）信号を備え、前記第２の信号は、ロングタームエボリューション（ＬＴＥ）信号を備える、Ｃ１に記載の方法。
［Ｃ１３］
ユーザ機器（ＵＥ）におけるワイヤレス通信のための装置であって、
共有チャネルを介して複数の無線アクセス技術（ＲＡＴ）波形を備える畳み込み信号を受信するための第１の無線機の受信機と、
前記複数のＲＡＴ波形から第１のＲＡＴ波形の第１の信号を再構築するための前記第１の無線機のパケット・リコンストラクタと、
前記再構築された第１の信号に基づいて、前記複数のＲＡＴ波形から第２のＲＡＴ波形の第２の信号を識別するための第２の無線機の信号識別器と
を備える、装置。
［Ｃ１４］
前記畳み込み信号に関連付けられた干渉レベルがしきい値以上であることを決定するための干渉検出器と、
前記決定することに基づいて前記第１のＲＡＴ波形の前記再構築された第１の信号を生成するための信号生成器と
をさらに備える、Ｃ１３に記載の装置。
［Ｃ１５］
前記第２の無線機から前記第１の無線機に、前記再構築された第１の信号を生成するようにインジケーションを送るためのＲＡＴ間干渉イネーブラ
をさらに備える、Ｃ１４に記載の装置。
［Ｃ１６］
前記畳み込み信号のＳＩＮＲを識別することを備える、前記畳み込み信号に関連付けられた前記干渉レベルを決定するための干渉検出器
をさらに備える、Ｃ１４に記載の装置。
［Ｃ１７］
前記畳み込み信号に関連付けられた干渉レベルがしきい値よりも少ないことを決定するための干渉検出器と、
前記第２の無線機から前記第１の無線機に、信号の再構築を中止するようにインジケーションを送るためのＲＡＴ間干渉ディセーブラと
をさらに備える、Ｃ１３に記載の装置。
［Ｃ１８］
ユーザ機器（ＵＥ）におけるワイヤレス通信のための装置であって、
共有チャネルを介して複数の無線アクセス技術（ＲＡＴ）波形を備える畳み込み信号を受信するための手段と、
第１の無線機で前記複数のＲＡＴ波形から第１のＲＡＴ波形の第１の信号を再構築するための手段と、
前記再構築された第１の信号に基づいて、第２の無線機で前記複数のＲＡＴ波形から第２のＲＡＴ波形の第２の信号を識別するための手段と
を備える、装置。
［Ｃ１９］
前記畳み込み信号に関連付けられた干渉レベルがしきい値以上であることを決定するための手段と、
前記決定することに基づいて前記第１のＲＡＴ波形の前記再構築された第１の信号を生成するための手段と
をさらに備える、Ｃ１８に記載の装置。
［Ｃ２０］
前記第２の無線機から前記第１の無線機に、前記再構築された第１の信号を生成するようにインジケーションを送るための手段
をさらに備える、Ｃ１９に記載の装置。
［Ｃ２１］
前記畳み込み信号に関連付けられた前記干渉レベルを決定することは、前記畳み込み信号のＳＩＮＲを識別することを備える、Ｃ１９に記載の装置。
［Ｃ２２］
前記畳み込み信号に関連付けられた干渉レベルがしきい値よりも少ないことを決定するための手段と、
前記第２の無線機から前記第１の無線機に、信号の再構築を中止するようにインジケーションを送るための手段と
をさらに備える、Ｃ１８に記載の装置。
［Ｃ２３］
前記畳み込み信号を復号するための手段と、
前記第１の信号を生成するために前記畳み込み信号の一部分を再構築するための手段と
をさらに備える、Ｃ１８に記載の装置。
［Ｃ２４］
前記畳み込み信号のための変調またはコーディング方式を識別するための手段と、
前記変調またはコーディング方式に基づいて前記畳み込み信号の一部分を復調するための手段と
をさらに備える、Ｃ２３に記載の装置。
［Ｃ２５］
前記畳み込み信号から前記第１のＲＡＴ波形の前記再構築された第１の信号を除去するための手段
をさらに備える、Ｃ１８に記載の装置。
［Ｃ２６］
前記第１の無線機はモデムを備える、Ｃ１８に記載の装置。
［Ｃ２７］
前記第１の無線機は、ワイヤレスローカルエリアネットワーク（ＷＬＡＮ）モデムを備える、Ｃ１８に記載の装置。
［Ｃ２８］
前記第２の無線機は、ロングタームエボリューション（ＬＴＥ）受信機を備える、Ｃ１８に記載の装置。
［Ｃ２９］
前記第１の信号は、ＷＬＡＮ信号を備え、前記第２の信号は、ＬＴＥ信号を備える、Ｃ１８に記載の装置。
［Ｃ３０］
ユーザ機器（ＵＥ）におけるワイヤレス通信のためのコードを記憶する非一時的コンピュータ可読媒体であって、前記コードは、
共有チャネルを介して複数の無線アクセス技術（ＲＡＴ）波形を備える畳み込み信号を受信することと、
第１の無線機で前記複数のＲＡＴ波形から第１のＲＡＴ波形の第１の信号を再構築することと、
前記再構築された第１の信号に基づいて、第２の無線機で前記複数のＲＡＴ波形から第２のＲＡＴ波形の第２の信号を識別することと
を行うように実行可能な命令を備える、非一時的コンピュータ可読媒体。
【図１】
0006345879.tif 000002
【図２】
0006345879.tif 000003
【図３】
0006345879.tif 000004
【図４】
0006345879.tif 000005
【図５】
0006345879.tif 000006
【図６】
0006345879.tif 000007
【図７】
0006345879.tif 000008
【図８】
0006345879.tif 000009
【図９】
0006345879.tif 000010
【図１０】
0006345879.tif 000011
【図１１】
0006345879.tif 000012
【図１２】
0006345879.tif 000013
【図１３】
0006345879.tif 000014